(57)【要約】【課題】この発明は、微弱な放射線によって生成されるマイナスイオン及び遠赤外線を放射する利便性の高い遠赤外線照射装置を提供することを目的とする。【解決手段】岩盤浴マットユニット１０と、該岩盤浴マットユニット１０の底面側に配した発熱体とで構成し、前記岩盤浴マットユニット１０を、ラジウム粉末４５またはブラックシリカ粉末４４のうち少なくとも一方と、炭粉末４３とを混入した岩盤浴クッション芯材４０で構成し、前記ラジウム粉末４５を前記岩盤浴クッション芯材４０に対して５〜１８重量％、前記ブラックシリカ粉末４４を前記岩盤浴クッション芯材４０に対して１〜１０重量％、及び前記炭粉末４３を前記岩盤浴クッション芯材４０に対して５〜２０重量％混入して構成した。【選択図】図１
2007195741.tif 000002
【特許請求の範囲】
【請求項１】
マット部と、該マット部の底面側に配した発熱体とで構成し、
前記マット部を、
ラジウムまたはブラックシリカのうち少なくとも一方と、炭とを混入したクッション材で構成した
遠赤外線照射装置。
【請求項２】
前記マット部を、
前記ラジウムを前記クッション材に対して５〜１８重量％、前記ブラックシリカを前記クッション材に対して１〜１０重量％、及び前記炭を前記クッション材に対して５〜２０重量％混入して構成した
請求項１に記載の遠赤外線照射装置。
【請求項３】
前記マット部の少なくとも上面を、マットカバーで被覆し、
該マットカバーを、ゲルマニウム入り繊維を織り込んだ布帛で形成した
請求項１または２に記載の遠赤外線照射装置。
【請求項４】
直列配置したマット体を接続具で脱着可能に接続して、前記マット部を構成した
請求項１から３のうちいずれかに記載の遠赤外線照射装置。
【請求項５】
前記マット部の上面に、人体の少なくとも一部を覆う覆部を備えた
請求項１から４のうちいずれかに記載の遠赤外線照射装置。
【請求項６】
前記覆部の内面に、反射効率が向上する反射加工を施した
請求項５に記載の遠赤外線照射装置。
【請求項７】
前記クッション材を、
ポリウレタンを主成分とし、互いに連通する多数の孔部を有する多孔質の軟質ポリウレタンフォームで構成した
請求項１から６のうちいずれかに記載の遠赤外線照射装置。
【請求項８】
前記ポリウレタンを、低反発性ポリウレタンで構成した
請求項７に記載の遠赤外線照射装置。
【請求項９】
前記マット部に、
上下に貫通する貫通孔を備えた
請求項１から８のうちいずれかに記載の遠赤外線照射装置。
【発明の詳細な説明】
【技術分野】
【０００１】
この発明は、例えば微弱な放射線によって生成されるマイナスイオン及び遠赤外線を放射する遠赤外線照射装置に関する。
【背景技術】
【０００２】
秋田県の玉川温泉を発祥とする岩盤浴が注目される昨今、家庭で岩盤浴を行いたいという希望が多く、家庭用の岩盤浴装置が提案されている（特許文献１参照）。なお、上記岩盤浴とは、ラジウムを含む岩盤からの地熱と、岩盤から発生するラドンガスを吸入する入浴方法であり、身体を活性化するホルミシス効果を得ることができる。詳述すると「ホルシミス効果」は、微量の放射線が照射されることによって、生命体の免疫力及び成長が向上することをいい、このホルシミス効果によって、温熱効果、新陳代謝、自然治癒力の向上、ストレス改善、活性酸素の除去を促進することができる。したがって、強直性脊椎炎、慢性進行性多発関節炎や軟組織リュウマチ、関節炎等のリュウマチ系疾患、喘息、気管支炎、慢性気管支炎等の呼吸器系疾患、および乾癬（かんせん）、強皮症等の皮膚疾患に効果があるとされている。また、新陳代謝の活発化によって便秘等の排便障害を改善することができる。
【０００３】
上記岩盤浴装置は、長手方向の中央部で床部が半分割された折り畳み自在のベッド部と、半分割された前記床部の各々に配設された基部と、面状ヒータと、遠赤外線等の電磁波を放射する放射体岩盤とを有する入浴部と、前記入浴部の上部に着脱自在に配設され入浴者の身体を覆うカバー部とで構成し、面状ヒータの熱に加えて放射体岩盤からは遠赤外線が発生し、熱及び遠赤外線の両方によって入浴者を温めることができる。しかし、上記岩盤浴装置は、ベッド部の床部が長手方向の中央部で半分割されて折り畳み自在であるものの、大きく硬く重い放射体岩盤を用いるため、大きく嵩張り、一部屋の狭い日本の家庭においては、利用者の満足を得るものではなかった。
【０００４】
【特許文献１】実用新案登録第３１１６５５８号公報
【発明の開示】
【発明が解決しようとする課題】
【０００５】
この発明は、微弱な放射線によって生成されるマイナスイオン及び遠赤外線を放射する利便性の高い遠赤外線照射装置を提供することを目的とする。
【課題を解決するための手段】
【０００６】
この発明は、マット部と、該マット部の底面側に配した発熱体とで構成し、前記マット部を、ラジウムまたはブラックシリカのうち少なくとも一方と、炭とを混入したクッション材で構成した遠赤外線照射装置であることを特徴とする。
【０００７】
前記マット部は、普通人が横たわることのできる平面サイズ、普通人が足を伸ばして座ることのできる平面サイズ、座った普通人が臀部を乗せることのできる平面サイズで形成したマット部であることを含む。  
前記マット部の底面側に配した発熱体は、マット部と一体形成あるいは別体で形成した板状、あるいは箱状であり、それ自体が電気や化学反応により発熱するもの、あるいはそれ自体が発熱する発熱体や加熱された蓄熱機能を有する蓄熱体を収容するものであることを含む。
【０００８】
前記混入したクッション材とは、天然ゴム等の天然樹脂、あるいはポリエチレン、アクリル樹脂、ポリアミド、ポリエステル、ポリプロピレン、ポリ塩化ビニル、ポリスチレン、ＡＢＳ樹脂、ポリカーボネート、ナイロン、ポリアセタール、フッ素樹脂、ポリ塩化ビニリデン、ポリプタジエン、または塩酸ゴム等の少なくとも一種、またはそれらの複数からなる合成樹脂を主材とするクッション材であることを含む。  
前記ラジウム、ブラックシリカ、あるいは炭は、それぞれ粉末状、あるいは粒子状で形成されていることを含む。
【０００９】
これにより、マット部を介して、発熱体からの熱でマット部上面に横たわった利用者を暖めることができる。また、クッション材中に、ラジウムまたはブラックシリカのうち少なくとも一方と、炭とを含有するため、ブラックシリカやラドン、及び炭が遠赤外線及びマイナスイオンを放射して、上記利用者に照射できる。したがって、効率的に利用者を暖めることができる。また、大きく重たい岩盤を用いないため、利用者は手軽に遠赤外線照射装置を利用でき、利用者の利便性が向上する。
【００１０】
この発明の態様として、前記マット部を、前記ラジウムを前記クッション材に対して５〜１８重量％、前記ブラックシリカを前記クッション材に対して１〜１０重量％、及び前記炭を前記クッション材に対して５〜２０重量％混入して構成することができる。  
これにより、十分に遠赤外線及びマイナスイオンを放射するとともに、クッション材の強度を確保できるため、耐久性のある遠赤外線照射装置を形成することができる。
【００１１】
また、この発明の態様として、前記マット部の少なくとも上面を、マットカバーで被覆し、該マットカバーを、ゲルマニウム入り繊維を織り込んだ布帛で形成することができる。  
前記ゲルマニウム入り繊維とは、ナイロン繊維、アラミド繊維、ポリエステル繊維、アクリル系繊維、ビニロン系繊維、ポリ塩化ビニル繊維、ビニリデン繊維、ポリエチレン繊維、ポリプロピレン繊維、またはポリウレタン繊維等の合成繊維にゲルマニウム粉末を練り込んで形成した繊維であることを含む。
【００１２】
これにより、クッション材中に含有するラジウムまたはブラックシリカのうち少なくとも一方と、炭とが放射する遠赤外線及びマイナスイオンをマットカバーを介して利用者に照射するため、マットカバーに含有するゲルマニウムによってマイナスイオンが増加されるとともに、保温作用を利用者に奏することができる。
【００１３】
また、この発明の態様として、直列配置したマット体を接続具で脱着可能に接続して、前記マット部を構成することができる。  
これにより、所望の平面サイズのマット部を、収納や持ち運びやすい適宜のサイズのマット体を接続して構成することができるため、利用者の利便性が向上する。
【００１４】
また、この発明の態様として、前記マット部の上面に、人体の少なくとも一部を覆う覆部を備えることができる。  
前記覆部は、複数の骨組みと該複数の骨組をカバーするシートとで構成されたテント形状、それ自体が形状を維持できるＦＲＰや硬質ポリウレタンフォーム等の素材で形成したドーム形状、該ドーム形状を奥行方向に分割し、一方の端部と他方の端部とが重なるように構成し、一方をスライドさせることによって奥行長さを調整できるスライドドーム形状、あるいはマット部上面に横たわった普通人に密着して囲繞する掛け布団のような形状で形成された覆部であることを含む。
【００１５】
また、前記覆部は、横臥、仰臥、あるいはうつ伏せに横たわった普通人の首から足先までの上面側の全体、あるいは腰部や膝部等の一部を覆う覆部、足を伸ばして座った普通人の足部の全体、あるいは膝部等の一部を覆う覆部で形成することを含む。  
これにより、マット部上面と覆部とに囲繞された利用者に、遠赤外線及びマイナスイオンおよび発熱体からの熱が外部に発散すること抑止して、より効率的に利用者に照射できるとともに、保温効果を向上することができる。
【００１６】
また、この発明の態様として、前記覆部の内面に、反射効率が向上する反射加工を施すことができる。  
前記反射加工は、アルミ蒸着やメッキによるミラー加工等であることを含む。  
これにより、遠赤外線及びマイナスイオンおよび発熱体からの熱が外部に発散すること抑止して、マット部上面と覆部とに囲繞された利用者に、さらに効率的に照射できるとともに、保温効果をさらに向上することができる。
【００１７】
また、この発明の態様として、前記クッション材を、ポリウレタンを主成分とし、互いに連通する多数の孔部を有する多孔質の軟質ポリウレタンフォームで構成することができる。  
軟質ポリウレタンフォームとは、独立した多数の孔部を有し、硬く復元性のない硬質ポリウレタンフォームと比べて、柔らかく復元性のあるポリウレタンフォームであり、一般的に発泡倍率が約１０〜６０倍、見かけ密度が約１６〜１００ｋｇ／ｃｍ２程度のものをいう。  
これにより、遠赤外線及びマイナスイオンを放射するとともに、弾性、衝撃吸収性、復元性及び耐久性を有する軟質ポリウレタンフォームでマット部を形成することができ、利用者の満足度を向上させることができる。
【００１８】
また、この発明の態様として、前記ポリウレタンを、低反発性ポリウレタンで構成することができる。  
前記低反発性ポリウレタンは、例えば、指で押して変形させた後、指を離すと、そのまま変形を維持し、一定時間をかけて復元するようなゆっくりとした復元性を有する軟質ポリウレタンフォームを成形するポリウレタンであることを含む。  これにより、普通の軟質ポリウレタンフォームより反発弾性率が非常に小さい低反発ポリウレタンフォームを形成することができる。  
したがって、マット部上面に横たわった利用者の体圧が全体に分散されるため、局部的な圧迫が少なく、血流障害や床ずれの防止を図ることができ、遠赤外線及びマイナスイオンを照射される利用者の満足度をさらに向上させることができる。
【００１９】
また、この発明の態様として、前記マット部に、上下に貫通する貫通孔を備えることができる。  
これにより、クッション材中に含有するラジウムまたはブラックシリカのうち少なくとも一方と、炭とが放射する遠赤外線及びマイナスイオンおよび発熱体からの熱をより効率的に利用者に照射できる。
【発明の効果】
【００２０】
この発明によれば、微弱な放射線によって生成されるマイナスイオン、及び遠赤外線を放射する利便性の高い遠赤外線照射装置を得ることができる。
【発明を実施するための最良の形態】
【００２１】
この発明の一実施形態を以下図面と共に説明する。  
【実施例１】
【００２２】
岩盤浴サウナ１の使用状態の斜視図を示す図１と、岩盤浴サウナ１の右側面図を示す図２と、岩盤浴サウナ１の平面図を示す図３、岩盤浴マットユニット１０の底面図を示す図４、岩盤浴サウナ１の幅方向中央付近の縦断面図を示す図５、岩盤浴サウナ１奥行方向中央付近の横断面図を示す図６とともに、岩盤浴サウナ１について説明する。
【００２３】
岩盤浴サウナ１は、普通人である利用者１００が横たわることのできる平面寸法を有する岩盤浴マットユニット１０と、岩盤浴マットユニット１０の底面側に配した板状のヒータ板２０と、岩盤浴マットユニット１０の上面１０ａに載置した蒲鉾型のドーム部３０とで構成している。
【００２４】
ヒータ板２０は、適宜の肉厚と、岩盤浴マットユニット１０の平面寸法よりひとまわり小さな平面寸法とを有する板状で形成され、外周にビニールコーティング２１（図５参照）を施している。ヒータ板２０は、内部略全体に図示しないヒータ線と、ヒータ線からの発熱量を制御する制御部（図示省略）と、前記ヒータ線に接続して電力を供給する電源コード（図示省略）とを備え、該電源コードから電力を供給された前記ヒータ線が、前記制御部に制御された発熱量を発熱する構成である。なお、本実施例においては、幅約６０ｃｍ×奥行長さ約１６０ｃｍの一枚の板状でヒータ板２０を形成しているが、例えば、後述する岩盤浴マット体１１と略同一の平面サイズで構成し、それぞれを電気的に接続して構成してもよい。
【００２５】
ドーム部３０は、蒲鉾形状の骨組みを形成する骨組み３１（３１ａ，３１ｂ）と、骨組み３１の外側を囲繞するドームシート３２とで、岩盤浴マットユニット１０と略同一の幅と、岩盤浴マットユニット１０の略３／４の奥行長さで、半円柱形状を横たえた中空の蒲鉾形状で形成している。
【００２６】
各骨組み３１は、弾性変形可能な５本の半円形状のアーチ部３１ａと、奥行方向に適宜の間隔を隔てて配置する該アーチ部３１ａの隣り合うそれぞれを、連結する奥行方向の連結骨組３１ｂで構成している。連結骨組３１ｂは各アーチ部３１ａの円周部分の複数箇所に配され、上記アーチ部３１ａ間を伸縮可能に連結している。
【００２７】
ドームシート３２は、平面視矩形のシート主部３２ａの両幅方向辺と、半円形状の褄部シート３２ｂ，３２ｃの円弧辺とを縫合して中空の蒲鉾形状を形成している。シート主部３２ａと骨組み３１とは複数個所で固定している。また、利用者１００の頭側の褄部シート３２ｃは、２枚の略扇形の厚布を左右対称に配置し、幅方向中心付近で略鉛直方向に一部を重ね合わせ、いわゆる暖簾状に構成している。利用者１００は、２枚の褄部シート３２ｃ，３２ｃの重ね合わせた部分を開くようにしてクビ部１００ａの通過をさせることでクビ部１００ａに褄部シート３２ｃ，３２ｃを略密着するように構成している。
【００２８】
また、図６中のａ部拡大図に示すように、ドームシート３２（３２ａ，３２ｂ，３２ｃ）は、屈曲可能なナイロンやポリエステル等のテント生地で構成されたシート基層３５と、シート基層３５の内周面側に蒸着させたアルミ層３６の２層構造で構成している。
【００２９】
岩盤浴マットユニット１０は、奥行方向に直列配置した３つの岩盤浴マット体１１を、図４に示すように底面側に備えた面ファスナ１２で接続して、利用者１００が横たわることのできる平面寸法に構成している。詳述すると、面ファスナ１２は、底面視四角形の鉤状側面ファスナ１２ａと、岩盤浴マット体１１側底面の対向箇所に備えたループ状側面ファスナ１２ｂとで構成し、底面視四角形の鉤状側面ファスナ１２ａとループ状側面ファスナ１２ｂとで接着させて各岩盤浴マット体１１を接続している。
【００３０】
なお、本実施例において岩盤浴マット体１１は、幅約９０ｃｍ×奥行長さ約６５ｃｍ×肉厚約４ｃｍで形成することで、幅約９０ｃｍ×奥行長さ約１９５ｃｍ×肉厚約４ｃｍの岩盤浴マットユニット１０を形成しているがこれに限定されず、例えば幅約７５ｃｍ×奥行長さ約２００ｃｍ等の適宜の平面寸法で構成してもよく、また、上記肉厚は約３〜７ｃｍ程度の範囲で形成すればよい。該範囲内に岩盤浴マットユニット１０の肉厚を形成すれば、適度のクッション性を確保できるため、岩盤浴マットユニット１０の上面１０ａに横たわった利用者１００の満足度を向上させることができる。
【００３１】
なお、岩盤浴マット体１１は、適宜の寸法を有する直方体形状の岩盤浴クッション芯材４０と、岩盤浴クッション芯材４０の外周を囲繞するクッションカバー１３とで構成している。  
クッションカバー１３は、天然ゲルマニウム鉱石粉末とジルコニウム鉱石粉末とをセルロース系の再生繊維であるレーヨンに練り込んだ機能性繊維（図示省略）による布帛で構成している。
【００３２】
岩盤浴クッション芯材４０は、岩盤浴クッション芯材４０の平面図である図７に示すように、上下方向に岩盤浴マット体１１を貫通する適宜の径を有する貫通孔４１を、適宜の間隔を隔てて複数個を備えている。なお、本実施例においては、直径約１８ｍｍの貫通孔４１を、約４０ｍｍ間隔に格子状に配置しているが、貫通孔４１の直径を約８〜２５ｍｍ程度の形成し、約２５〜８０ｍｍ間隔で形成してもよい。この範囲で貫通孔４１を配置すれば、クッション材としての強度を損なうことなく、岩盤浴マット体１１の上下の通気を適度に促すことができる。また、貫通孔４１の配置形状は本実施例の格子形状に限定されず、図９に示すように千鳥配置にしてもよい。
【００３３】
また、岩盤浴クッション芯材４０は、岩盤浴マットユニット１０の拡大断面図である図８に示すように、主材を低反発性ポリウレタン４０ａで構成し、低反発性ポリウレタン４０ａを成形時に発泡させて、それぞれが連通する孔部４０ｂを備えた低反発性軟質ポリウレタンフォームで形成している。通常のポリウレタンは、ポリオールとポリイソシアネートを主成分として構成するが、このうちポリオールの構造を変更させて、粘弾性的に変性させたものが低反発性ポリウレタンである。これによって成形されたポリウレタンフォームはゆっくりとした復元性を備えている。
【００３４】
さらに、岩盤浴クッション芯材４０は、成形前の低反発性ポリウレタン４０ａに粉末状の炭粉末４３、ブラックシリカ粉末４４及びラジウム粉末４５を混入して成形した低反発性軟質ポリウレタンフォームである。したがって、図８のａ部の拡大図に示すように、岩盤浴クッション芯材４０内には、炭粉末４３、ブラックシリカ粉末４４及びラジウム粉末４５が略全範囲にわたって点在している。
【００３５】
なお、図８の拡大図中において、炭粉末４３を四角形状で示し、ブラックシリカ粉末４４を丸で示し、ラジウム粉末４５を三角形に示しているが、岩盤浴クッション芯材４０内に炭粉末４３、ブラックシリカ粉末４４及びラジウム粉末４５の３種類を含有することを理解しやすくするために示したものであり、それぞれの形状や大きさを示すものではなく、本実施例においては、それぞれが目視できない程度の粒径の粉体で形成している。
【００３６】
これらを詳述すると、炭粉末４３は、木炭を粉砕した粉末体である。木炭は平均約１２オングストロームの大きさの穴が網の目状に形成されており、その穴によって化学物質や臭い等を吸着するとともに、マイナスイオンを生成し、遠赤外線を放射することができる。
【００３７】
なお、マイナスイオンは身体にもともと備わった生体防衛機能と自然治癒力とを活発にして免疫力及び内分泌ホルモンを向上させるとともに、プラスイオンによって酸化された身体を還元させることで新陳代謝を活発にすることができる。また、マイナスイオンは、体内のプラスイオンが血液中に侵入して起こるデコボコ状や団子状に連なった正常でない赤血球と結合し、正常な丸状に改善することができ、健康な血液を形成することができる。
【００３８】
また、遠赤外線は目視できない長波長の光線であり、物質の中心側の深部を温めることができる。したがって、遠赤外線を照射することによって、身体を芯から暖めて新陳代謝を活発にさせることができるとともに、発汗を促し、体内の毒素を体外に排出させることができる。
【００３９】
また、ブラックシリカ粉末４４は天然鉱石であるブラックシリカ（学名：黒鉛珪石）を粉砕した粉末体であり、天然ミネラルをふんだんに含み、微量の遠赤外線や放射線（α線、β線、γ線）を安定して放射することができる。したがって、ブラックシリカ粉末４４は消臭、防菌、防カビ、防湿効果を有するとともに、人体に対し、血流の促進、発汗作用、痛みの緩和作用、暖め作用及び安眠作用を与えることができる。
【００４０】
ラジウム粉末４５は、オーストリアのザルツブルク市にあるガシュタイナー・ハイルシュトーレンの坑道内で採掘されるハイルシュトーレン鉱石を粉砕した粉末体である。  
ハイルシュトーレン鉱石（別名：バードガシュタイン鉱石）は、一般的な鉱石よりラジウムの含有率の高いラジウム鉱石であり、含有するラジウムがα線を放射しながら崩壊し、放射能を有するガス状のラドンを多く発生する。このラドンを呼吸によって体内に取込むことで抗酸化酸素ＳＯＤと抗酸化酸素ＧＰＸとの分泌を促し、体内の活性酸素を除去あるいは削除することができる。  
なお、本実施例において、ハイルシュトーレン鉱石を用いているが、これに限定されず、例えば、北投石や、北海道の南部で採掘される二股温泉ラジウム鉱石等の天然ラジウム鉱石、あるいは人工のラジウム鉱石を用いてもよい。
【００４１】
炭粉末４３は、岩盤浴クッション芯材４０に対して約５〜２０重量％を含有するが、約１０重量％の含有量がより好ましい。また、ブラックシリカ粉末４４は、岩盤浴クッション芯材４０に対して約１〜１０重量％を含有するが、約２重量％の含有量がより好ましい。さらに、ラジウム粉末４５は、岩盤浴クッション芯材４０に対して約５〜１８重量％を含有するが、約８重量％の含有量がより好ましい。  
それぞれの含有量が上記下限値を下回る場合は、遠赤外線やラドンガス等を十分に放射できず、上記岩盤浴効果を得ることができず、上記上限値を上回る場合は岩盤浴クッション芯材４０の十分な強度を確保できず、強度低下する惧れがある。
【００４２】
利用者１００は、上記構成による岩盤浴マットユニット１０の上面１０ａの略中央に横たわり、略密閉するようにドーム部３０で首から足先までを覆い、図示しない制御部でヒータ板２０を制御して発熱させて岩盤浴サウナ１を利用する。このとき、利用者１００は、ドーム部３０内部が４０〜５０℃程度となるように操作部（図示省略）を操作すればよい。また、まず１０分程度の入浴と（加熱された岩盤浴サウナ１のドーム部３０内部で横たわること）、岩盤浴サウナ１から出て水分補給しながらの５分程度休憩とを繰り返せばよい。
【００４３】
これによって、岩盤浴クッション芯材４０に含有されたブラックシリカ粉末４４及びラジウム粉末４５から放射される微量の放射線によって生じる上記ホルシミス効果による上記温熱効果、新陳代謝、自然治癒力の向上、ストレス改善、活性酸素の除去等の効果を、炭粉末４３によって生成されるマイナスイオン及び遠赤外線によってさらに促進することができる。したがって、強直性脊椎炎、慢性進行性多発関節炎や軟組織リュウマチ、関節炎等のリュウマチ系疾患、喘息、気管支炎、慢性気管支炎等の呼吸器系疾患、および乾癬（かんせん）、強皮症等の皮膚疾患を効率よく改善することができ、利用者の満足度を向上させることができる。
【００４４】
なお、岩盤浴クッション芯材４０に含有される炭粉末４３、ブラックシリカ粉末４４及びラジウム粉末４５の相乗効果によって、さらに促進されたホルシミス効果を、秋田県の玉川温泉を発祥とする岩盤浴にちなんで、以下において、「岩盤浴効果」という。
【００４５】
また、岩盤浴マットユニット１０は炭粉末４３によって化学物質や臭い等を吸着するとともに、ブラックシリカ粉末４４による消臭、防菌、防カビ、防湿効果、人体に対する血流の促進、発汗作用、痛みの緩和作用、暖め作用及び安眠作用を与えることができる。  
なお、多量の発汗によって、体内中の余分な塩分も体外へ排出できるため、塩分過多の利用者１００の満足度を向上させることができる。
【００４６】
また、岩盤浴クッション芯材４０を、互いに連通する孔部４０ｂを有する低反発性軟質ウレタンフォームで形成したことにより、図８のａ部の拡大図の矢印ａに示すように、岩盤浴効果を奏するラドンガス、遠赤外線、ならびにマイナスイオンがヒータ板２０から上昇する熱気と共に孔部４０ｂを通過し、クッションカバー１３を介して利用者１００に作用するため、より効率のよい岩盤浴効果を与えることができる。
【００４７】
また、岩盤浴クッション芯材４０に上下方向に貫通する貫通孔４１を備えたことにより、矢印ｂに示すように、孔部４０ｂを通過するラドンガス、遠赤外線、ならびにマイナスイオンを貫通孔４１で集約して、ヒータ板２０からの上昇する熱気とともに利用者１００に作用することができるため、さらに効率のよい岩盤浴効果を与えることができる。
【００４８】
なお、低反発性ポリウレタン４０ａに対する孔部４０ｂを大きく形成して占有率を向上させることによってヒータ板２０から上昇する熱気と共に孔部４０ｂを通過するラドンガス、遠赤外線、ならびにマイナスイオンの通過量が増加するため、貫通孔４１を設けずとも、貫通孔４１を設けた場合と同様の効果を与えることができる。
【００４９】
また、成形前の低反発性ポリウレタン４０ａに粉末状の炭粉末４３、ブラックシリカ粉末４４及びラジウム粉末４５を混入して、軟質ポリウレタンフォームを成形しているため、使用によって岩盤浴マット体１１が汚れ、岩盤浴マット体１１を洗濯した場合であっても、炭粉末４３、ブラックシリカ粉末４４及びラジウム粉末４５が岩盤浴クッション芯材４０から剥離することがなく、清潔な岩盤浴マット体１１によって半恒久的に岩盤浴効果を与えることができる。
【００５０】
また、岩盤浴マット体１１を上記寸法に形成し、岩盤浴クッション芯材４０を変形可能な低反発性軟質ウレタンフォームで形成したことにより、岩盤浴マット体１１を折り曲げて一般的な家庭用の洗濯機に投入でき、該洗濯機で洗濯可能であるため、利用者１００の利便性を向上させることができる。
【００５１】
さらに、岩盤浴クッション芯材４０をクッションカバー１３でカバーしたことによって、岩盤浴クッション芯材４０から放出され、岩盤浴効果を奏するラドンガス、遠赤外線、ならびにマイナスイオンがクッションカバー１３を介して身体に作用するため、クッションカバー１３のゲルマニウム鉱石粉末及びジルコニウム鉱石粉末によるマイナスイオン放射及び保温作用によって、上記岩盤浴効果を高めることができる。
【００５２】
また、ドームシート３２を屈曲可能なテント生地で構成し、各アーチ部３１ａ間を伸縮自在な連結骨組３１ｂで連結したことによって、ドーム部３０の奥行長さを調整できるため、普通人に比べて身長の低い子供が利用する場合であっても、子供の身長に合わせてドーム部３０の奥行長さを調整できるため、利用者の満足度を向上させることができる。
【００５３】
また、利用者１００の頭側となる褄部シート３２ｃを、左右対称に配置した２枚の略扇形の厚布で構成し、幅方向中心付近で略鉛直方向に一部を重ね合わせ、いわゆる暖簾状に構成したことによって、クビ部１００ａと略密着でき、ドーム部３０内部の保温効果を向上することができる。したがって、利用者に与える上記岩盤浴効果を向上させるとともに、上記岩盤浴効果を得るための消費エネルギを低減できるため、利用者の満足度を向上することができる。
【００５４】
また、図６のａ部の拡大図に示すように、ドームシート３２（３２ａ，３２ｂ，３２ｃ）を、テント生地で構成されたシート基層３５と、シート基層３５の内周面側に蒸着させたアルミ層３６の２層構造で構成したことによって、岩盤浴マットユニット１０の上面１０ａから放出される上記ラドンガス、遠赤外線、マイナスイオン等がアルミ層３６に反射され、ドーム部３０外部へ放出されることを抑止できるため、上記岩盤浴効果をさらに高めることができる。
【００５５】
なお、岩盤浴クッション芯材４０を、図１０及び図１１に示すような、平面視各貫通孔５３の間に、略四角錘台のブロック部５２を備える岩盤浴クッション芯材５０を用いてもよい。この場合、岩盤浴クッション芯材５０は、基部５１の上面にブロック部５２を備え、基部５１部の底面からブロック部５２の頂点までの厚みを上記岩盤浴マット体１１の肉厚の範囲に設定すればよい。また、貫通孔５３は基部５１を上下方向に貫通する構成とすればよい。さらに、ブロック部５２の頂点部分に平面視略正方形のドーム型部５２ａを備え、ドーム型部５２ａと基部５１部分を、ブロック部５２本体部分の反発弾性率より少し大きな反発弾性率を有する低反発ポリウレタンフォームを形成している。
【００５６】
これにより、岩盤浴マットユニット１０の上面１０ａと、仰臥した利用者１００の背中部分に熱気が停滞せず、ヒータ板２０からの熱をドーム部３０内部で循環することを促し、利用者１００の満足度を高めることができる。
【００５７】
また、ドーム型部５２ａと基部５１部分を、ブロック部５２本体部分の反発弾性率より少し大きな反発弾性率を有する低反発ポリウレタンフォームを形成したことによって、岩盤浴マットユニット１０の上面１０ａに横たわった利用者１００の体重を最適な弾性力で支持できるため、利用者１００の満足度を、さらに高めることができる。
【００５８】
また、本実施例のように３つの岩盤浴マット体１１を奥行方向に直列配置した岩盤浴マットユニット１０に限定されず、図１２に示すように、奥行方向に直列配置した２つの岩盤浴マット体１１で構成してもよい。また、各岩盤浴マット体１１を接続する面ファスナ１２（１２ａ，１２ｂ）も、岩盤浴マット体１１の底面に備えず、各岩盤浴マット体１１の対向する対向側面１１ａに備えてもよい。
【００５９】
詳述すると、岩盤浴マット体１１の対向側面１１ａの正面視左右対称な位置に所定間隔を隔てて鉤状側面ファスナ１２ａとループ状側面ファスナ１２ｂとを対向側面１１ａの表面に縫着する。図示省略するが、他方の岩盤浴マット体１１の対向側面１１ａの該鉤状側面ファスナ１２ａ及びループ状側面ファスナ１２ｂに対向する位置には、上記鉤状側面ファスナ１２ａ及びループ状側面ファスナ１２ｂと一対となるように、ループ状側面ファスナ１２ｂ及び鉤状側面ファスナ１２ａを縫着している。
【００６０】
したがって、岩盤浴マット体１１を奥行方向に直列配置するだけで、岩盤浴マット体１１同士を面ファスナ１２で接続できるため、接続のための手間を要さず、利用者の利便性を高めることができる。また、一方の岩盤浴マット体１１の対向側面１１ａの鉤状側面ファスナ１２ａ及びループ状側面ファスナ１２ｂとを備え、他方の岩盤浴マット体１１の対向側面１１ａには、一方の岩盤浴マット体１１の鉤状側面ファスナ１２ａ及びループ状側面ファスナ１２ｂに対応するように、ループ状側面ファスナ１２ｂ及び鉤状側面ファスナ１２ａを備えたことによって、それぞれの岩盤浴マット体１１の上下面が同方向である場合のみ接続でき、岩盤浴マット体１１の上下面が異方向な状態で使用することを防止でき、利用者の満足度を向上させることができる。
【００６１】
また、図１３及び図１４に示すように、ドーム部を奥行方向に２分割された蒲鉾形状のスライドドーム部３０′で構成してもよい。  
スライドドーム部３０′は、前方ドーム３１′と後方ドーム３２′とで構成している。前方ドーム３１′及び後方ドーム３２′は、断熱性能及び形状維持能を確保できる適宜の厚みの硬質ポリウレタンフォームで、それぞれの岩盤浴マット体１１の奥行長さの１．３倍程度の長さの中空の蒲鉾形状に形成している。硬質ポリウレタンフォームは、独立した多数の孔部を有し、上記軟質ポリウレタンフォームより硬いが、断熱性の高いポリウレタンフォームである。
【００６２】
なお、前方ドーム３１′は、利用者１００の頭側となる側面に２枚の略扇形の厚布を左右対称に配置し、幅方向中心付近で略鉛直方向に一部を重ね合わせ、いわゆる暖簾状に構成した褄部シート３１′ａを備えている。  
後方ドーム３２′は、半円状の褄部３２′ａを奥側端部に備えるとともに、前方ドーム３１′の外周面よりわずかに径の大きな内周面を有している。
【００６３】
したがって、利用者１００は、まず前方ドーム３１′を設置し、前方ドーム３１′の奥側端部を、後方ドーム３２′の手前側端部で覆うようにして後方ドーム３２′を設置することができ、スライドドーム部３０′は奥行方向に重合部分３０′ａが形成される。前方ドーム３１′または後方ドーム３２′を奥行方向にスライドして、この重合部分３０′ａの重なり長さを調整することで、スライドドーム部３０′の奥行長さが調整できる。よって、普通人に比べて身長の低い子供が利用する場合であっても、子供の身長に合わせてスライドドーム部３０′の奥行長さを調整できるため、利用者の満足度を向上させることができる。
【００６４】
また、スライドドーム部３０′を硬質ポリウレタンフォームで形成したことによって、スライドドーム部３０′内外での断熱性を向上できるため、上記岩盤浴効果を利用者１００に対して有効に作用させることができる。また、熱量損失を減少させることができるため、上記岩盤浴効果を作用するためのエネルギの消費量を低減すことができ、利用者１００の満足度を向上させることができる。  
なお、図示省略するが、前方ドーム３１′及び後方ドーム３２′の内周面に、アルミ層を蒸着させてもよく、この場合、岩盤浴マットユニット１０の上面１０ａから放出される上記ラドンガス、遠赤外線、マイナスイオン等がアルミ層に反射され、スライドドーム部３０′外部へ放出されることを抑止できるため、上記岩盤浴効果をさらに高めることができる。
【００６５】
また、前方ドーム３１′の頭側の側面に２枚の略扇形の厚布を左右対称に幅方向中心付近で一部を重ね合わせ、いわゆる暖簾状に配置した褄部シート３１′ａを具備したことによって、クビ部１００ａと略密着でき、スライドドーム部３０′内部の保温効果を向上することができる。したがって、利用者に与える上記岩盤浴効果を向上させるとともに、上記岩盤浴効果を得るための消費エネルギを低減できるため、利用者の満足度を向上することができる。
【実施例２】
【００６６】
岩盤浴サウナ１′の使用状況を説明する図１５と、幅方向中央付近の縦断面図を示す図１６とともに、第２の実施例の岩盤浴サウナ１′について説明する。  
岩盤浴サウナ１′は、ＦＲＰドーム部７０と、岩盤浴マットユニット１０と、第２クッション部８０と、ヒータ板２０と、マット枠部９０とを上からこの順で配して構成している。
【００６７】
岩盤浴マットユニット１０及びヒータ板２０は、実施例で用いた岩盤浴マットユニット１０及びヒータ板２０と同じものを用いている。  
ＦＲＰドーム部７０は、手前側端部に利用者のクビ部１００ａの通過を許容するクビ部孔７１ａを中央下部に備えた半円状の褄部７１と、奥側端部に半円状の褄部７２とを備えた中空の蒲鉾形状であり、いわゆるＦＲＰ製である。
【００６８】
マット枠部９０は、所定の間隔を隔てて対向させた２本の幅方向側板９２と、２本の奥行方向側板９３とをそれぞれ端部で接続した長方形枠の底面に底板９１を固定して形成した上面開放の直方体であり、岩盤浴マットユニット１０の平面形状よりわずかに大きな平面視長方形である。なお、本実施例においては底板９１、幅方向側板９２、および奥行方向側板９３は木製部材で形成しているが、熱可塑性樹脂材やステンレス等の金属で形成してもよい。また、上記ＦＲＰドーム部７０の褄部７２の下端と、奥側の幅方向側板９２の上面とはヒンジ７５によって枢動可能に枢着している。
【００６９】
第２クッション部８０は、岩盤浴マット体１１と略同一の幅を有する帯状の所定の厚みを有する軟質ポリウレタンフォームを、岩盤浴マットユニット１０の肉厚と略同一の波高の側面視波上に連続して湾曲させ、湾曲させた軟質ポリウレタンフォームの湾曲内側で対向する面同士を密着するように奥行方向に縮めて岩盤浴マットユニット１０と略同一の奥行長さに固定したクッション材であり、岩盤浴マットユニット１０と略同一の平面形状を形成している。
【００７０】
岩盤浴サウナ１′は、幅方向側板９２と奥行方向側板９３とで構成する四角形枠の平面視内側の底板９１上面に、ヒータ板２０と、第２クッション部８０と、岩盤浴マットユニット１０、およびＦＲＰドーム部７０とを下からこの順で配して構成している。なお、底板９１上面でヒータ板２０と、第２クッション部８０と、岩盤浴マットユニット１０と配置した状態において、幅方向側板９２及び奥行方向側板９３のそれぞれの上面が岩盤浴マットユニット１０の肉厚の半分以上の位置となるように幅方向側板９２及び奥行方向側板９３の高さを形成している。
【００７１】
利用者１００は、ＦＲＰドーム部７０を岩盤浴サウナ１′の縦断方向の面内で、ヒンジ７５を枢動中心とする矢印Ａ方向に枢動させて開放し、岩盤浴マットユニット１０上面に横たわり、ＦＲＰドーム部７０を矢印Ａ方向と逆方向にＦＲＰドーム部７０を枢動させて、利用者１００のクビ部１００ａから足先までを岩盤浴マットユニット１０上面とＦＲＰドーム部７０とで囲繞するようにして岩盤浴サウナ１′を利用する。
【００７２】
岩盤浴サウナ１′を、上述した構成とすることで、ヒータ板２０で発せられた熱気が、第２クッション部８０を貫通して、岩盤浴マットユニット１０底面側から岩盤浴マットユニット１０に作用し、該熱気が岩盤浴マットユニット１０を貫通して利用者１００に作用する。したがって、ヒータ板２０で発せられた熱気が第２クッション部８０で平面視方向全体に分散するため、岩盤浴マットユニット１０底面全体に均等に該熱気が作用するため、岩盤浴マットユニット１０全体から、岩盤浴効果を均等に照射することができ、利用者１００の満足度を向上させることができる。
【００７３】
また、ヒータ板２０をマット枠部９０内側に配して作動させているため、ヒータ板２０で発せされる熱気が岩盤浴マットユニット１０の平面方向外側に逸散することを低減し、より効果的にヒータ板２０で発せられる熱気を岩盤浴マットユニット１０底面に作用することができ、岩盤浴効果を得るための消費エネルギを低減することができる。
【００７４】
また、幅方向側板９２及び奥行方向側板９３のそれぞれの上面が岩盤浴マットユニット１０の肉厚の半分以上の位置となるように幅方向側板９２及び奥行方向側板９３の高さを形成しているため、上下方向に積み重ねたヒータ板２０、第２クッション部８０、ならびに岩盤浴マットユニット１０が平面方向にずれることを防止しているため、利用者１００は、安定して岩盤浴マットユニット１０上面に横たわることができ、岩盤浴サウナ１′を利用する利用者１００に岩盤浴サウナ１′の利用に対する安心感を与えることができる。
【００７５】
また、ＦＲＰドーム部７０をマット枠部９０に対してヒンジ７５で枢動可能に枢着しているため、利用者１００は自身の身体が岩盤浴マットユニット１０上面とＦＲＰドーム部７０内面とに囲繞されるように、容易にＦＲＰドーム部７０が設置できる。したがって、利用者１００の利便性を高めることができる。
【００７６】
なお、奥行方向中央付近の横断面図の図１７が示すように、ＦＲＰドーム部７０とマット枠部９０とを、奥行方向側板９３の上面とＦＲＰドーム部７０の奥行方向下端辺とを枢動可能にヒンジ７５で枢着してもよい。これにより、利用者１００のＦＲＰドーム部７０のセットが容易になり、利用者１００の満足度を向上させることができる。
【００７７】
また、図１７中のａ部拡大図に示すように、ＦＲＰドーム部７０の内周面に、アルミ層７６を蒸着させてもよく、この場合、岩盤浴マットユニット１０の上面１０ａから放出される上記ラドンガス、遠赤外線、マイナスイオン等がアルミ層７６に反射され、ＦＲＰドーム部７０外部へ放出されることを抑止できるため、上記岩盤浴効果をさらに高めることができる。
【実施例３】
【００７８】
岩盤浴サウナ１″の岩盤浴マットユニット１０″の斜視図を示す図１８と、岩盤浴サウナ１″の使用状況を説明する説明図を示す図１９とともに、第２の実施例の岩盤浴サウナ１″について説明する。  
岩盤浴マットユニット１０″は、適宜の厚みを有する平面視略正方形のマットクッション材４０″と、配置した２つの該マットクッション材４０″を囲繞するクッションカバー１３″とで構成し、上面に普通人が横たわることのできる平面視縦長の略長方形のマットである。
【００７９】
クッションカバー１３″は、長辺側面の縦方向中央付近に、長辺方向で開閉自在なファスナ（図示省略）を備え、クッションカバー１３″内部にマットクッション材４０″を出し入れ可能に構成している。また、クッションカバー１３″は天然ゲルマニウム鉱石粉末とジルコニウム鉱石粉末とをセルロース系の再生繊維であるレーヨンに練り込んだ機能性繊維（図示省略）による布帛で構成している。
【００８０】
マットクッション材４０″は、実施例１の岩盤浴クッション芯材４０と同質の素材で上面と下面とを貫通する適宜の径を有する貫通孔４１″を適宜の間隔を隔てて複数備えている。  
上記構成である岩盤浴マットユニット１０″を、図１９に示すように、実施例１で用いたものと同様のヒータ板２０の上に、岩盤浴マットユニット１０″を敷設し、岩盤浴マットユニット１０″の上に寝転がり、上から掛け布団６０を掛けて利用する。
【００８１】
上記構成により、実施例１のドーム部３０を用いずとも、一般的に販売されている掛け布団６０を用いることで、岩盤浴サウナ１″は、マットクッション材４０″に含有する炭粉末４３によって化学物質や臭い等を吸着するとともに、利用者１００に上記岩盤浴効果を与えることができ、ブラックシリカ粉末４４による消臭、防菌、防カビ、防湿効果、人体に対する血流の促進、発汗作用、痛みの緩和作用、暖め作用及び安眠作用を与えることができ、利用者１００の満足度を向上させることができる。
【００８２】
また、マットクッション材４０″を、実施例１で用いたものと同様の低反発性ウレタンフォームで形成したことにより、図８のａ部の拡大図の矢印ａに示すように、岩盤浴効果を奏するラドンガス、遠赤外線、ならびにマイナスイオンが孔部４０ｂを通過するため、クッションカバー１３″を介して横たわった身体に作用し、より効率のよい岩盤浴効果を与えることができる。
【００８３】
また、マットクッション材４０″に、複数の貫通する貫通孔４１″を備えたことにより、矢印ｂに示すように、孔部４０ｂを通過するラドンガス、遠赤外線、ならびにマイナスイオンを貫通孔４１″で集約し、ヒータ板２０からの熱気と共に上昇して、身体に作用することができるため、さらに効率のよい岩盤浴効果を与えることができる。
【００８４】
なお、低反発性ポリウレタン４０ａに対する孔部４０ｂを大きく形成して占有率を向上させることによってヒータ板２０から上昇する熱気と共に孔部４０ｂを通過するラドンガス、遠赤外線、ならびにマイナスイオンの通過量が増加するため、貫通孔４１を設けずとも、貫通孔４１を設けた場合と同様の効果を与えることができる。
【００８５】
さらに、マットクッション材４０″をクッションカバー１３″でカバーしたことによって、岩盤浴効果を奏するラドンガス、遠赤外線、ならびにマイナスイオンがクッションカバー１３″を介して身体に作用するため、クッションカバー１３″のゲルマニウム鉱石粉末及びジルコニウム鉱石粉末によるマイナスイオン放射及び保温作用によって、上記岩盤浴効果を高めることができる。
【００８６】
なお、成形前の低反発性ポリウレタン４０ａに粉末状の炭粉末４３、ブラックシリカ粉末４４及びラジウム粉末４５を混入して、低反発性ポリウレタンフォームを成形しているため、使用によってマットクッション材４０″が汚れ、マットクッション材４０″を洗濯した場合であっても、炭粉末４３、ブラックシリカ粉末４４及びラジウム粉末４５がマットクッション材４０″から剥離することがなく、清潔なマットクッション材４０″によって半恒久的に岩盤浴効果を与えることができる。
【００８７】
この発明の構成と、上述の実施形態との対応において、
この発明の主材は、マット部は、岩盤浴マットユニット１０，１０″に対応し、
以下同様に、
発熱体は、ヒータ板２０に対応し、
ラジウムは、ラジウム粉末４５に対応し、
ブラックシリカは、ブラックシリカ粉末４４に対応し、
炭は、炭粉末４３に対応し、
クッション材は、岩盤浴クッション芯材４０，４０″，５０に対応し、
遠赤外線照射装置は、岩盤浴サウナ１，１′，１″に対応し、
マットカバーは、クッションカバー１３，１３″に対応し、
マット体は、岩盤浴マット体１１に対応し、
接続具は、面ファスナ１２に対応し、
覆部は、ドーム部３０、スライドドーム部３０′、ＦＲＰドーム部７０又は掛け布団６０に対応し、
反射加工は、アルミ層３６に対応し、
低反発性ポリウレタンは、低反発性ポリウレタン４０ａに対応するも、
この発明は、上述の実施形態の構成のみに限定されるものではなく、多くの実施の形態を得ることができる。
【図面の簡単な説明】
【００８８】
【図１】岩盤浴サウナの使用状態の斜視図。
【図２】岩盤浴サウナの右側面図。
【図３】岩盤浴サウナの平面図。
【図４】岩盤浴マットユニットの底面図。
【図５】岩盤浴サウナの幅方向中央付近の縦断面図。
【図６】岩盤浴サウナの奥行方向中央付近の横断面図。
【図７】岩盤浴クッション芯材の平面図。
【図８】岩盤浴マットユニットの拡大断面図。
【図９】別の実施例の岩盤浴クッション芯材の平面図。
【図１０】別の実施例の岩盤浴クッション芯材の平面図。
【図１１】別の実施例の岩盤浴クッション芯材の側面図。
【図１２】別の実施例の岩盤浴マットユニットの斜視図。
【図１３】別の実施例の岩盤浴サウナの使用状況を説明する説明図。
【図１４】別の実施例の岩盤浴サウナの幅方向中央付近の縦断面図。
【図１５】第２の実施例の岩盤浴サウナの使用状況を説明する説明図。
【図１６】第２の実施例の岩盤浴サウナの幅方向中央付近の縦断面図。
【図１７】第２の実施例の岩盤浴サウナの奥行方向中央付近の横断面図。
【図１８】第３の実施例の岩盤浴サウナの岩盤浴マットユニットの斜視図。
【図１９】第３の実施例の岩盤浴サウナの使用状況を説明する説明図。
【符号の説明】
【００８９】
１，１′，１″…岩盤浴サウナ
１０，１０″…岩盤浴マットユニット
１１…岩盤浴マット体
１２…面ファスナ
１３，１３″…クッションカバー
２０…ヒータ板
３０…ドーム部
３０′…スライドドーム部
３６…アルミ層
４０，４０″…岩盤浴クッション芯材
４０ａ…低反発性ポリウレタン
４０ｂ…孔部
４１，４１″…貫通孔
４３…炭粉末
４４…ブラックシリカ粉末
４５…ラジウム粉末
５０…岩盤浴クッション芯材
５３…貫通孔
６０…掛け布団
７０…ＦＲＰドーム部
【図１】
2007195741.tif 000003
【図２】
2007195741.tif 000004
【図３】
2007195741.tif 000005
【図４】
2007195741.tif 000006
【図５】
2007195741.tif 000007
【図６】
2007195741.tif 000008
【図７】
2007195741.tif 000009
【図８】
2007195741.tif 000010
【図９】
2007195741.tif 000011
【図１０】
2007195741.tif 000012
【図１１】
2007195741.tif 000013
【図１２】
2007195741.tif 000014
【図１３】
2007195741.tif 000015
【図１４】
2007195741.tif 000016
【図１５】
2007195741.tif 000017
【図１６】
2007195741.tif 000018
【図１７】
2007195741.tif 000019
【図１８】
2007195741.tif 000020
【図１９】
2007195741.tif 000021